(57)【特許請求の範囲】
【請求項１】
歯科用インスツルメントへの注油に関する注油情報を管理する歯科用注油情報管理装置であって、
前記歯科用インスツルメントに注油する注油手段に設けられ、前記歯科用インスツルメントへの注油または注油のための動作を検出する注油検出手段と、
前記歯科用インスツルメントに設けられ、該歯科用インスツルメントの識別情報が予め書き込まれたインスツルメント用無線タグと、
前記注油手段に設けられたアンテナまたはリーダライタである読取書込手段と、
前記読取書込手段は、前記注油検出手段によって前記歯科用インスツルメントへの注油または注油のための動作が検出されたときに、前記インスツルメント用無線タグとの間で前記注油情報の通信を行うことを特徴とする歯科用注油情報管理装置。
【請求項２】
前記注油手段は、油が収容されている容器を備えており、
前記注油検出手段は、注油を操作する操作部の移動を検出するセンサ、または注油の圧力若しくは流量を検出するセンサであることを特徴とする請求項１に記載の歯科用注油情報管理装置。
【請求項３】
前記注油手段は、複数の前記歯科用インスツルメントに同時に注油する注油装置、または前記歯科用インスツルメントに注油するとともに該歯科用インスツルメントの滅菌を行う注油兼滅菌装置であり、
前記注油検出手段は、前記注油手段における前記歯科用インスツルメントへの注油を指示する信号、または前記注油手段からの注油の圧力若しくは流量を検出するセンサであることを特徴とする請求項１に記載の歯科用注油情報管理装置。
【請求項４】
前記注油情報は、前記歯科用インスツルメントへの注油回数および注油日時の少なくとも一方を含む注油履歴を有することを特徴とする請求項１から請求項３のいずれか一項に記載の歯科用注油情報管理装置。
【請求項５】
前記読取書込手段は、通信ネットワークに接続されており、該通信ネットワークに接続されている情報処理装置との間で前記注油情報の通信を行うことを特徴とする請求項１から請求項４のいずれか一項に記載の歯科用注油情報管理装置。
【請求項６】
前記注油手段は、油が収容されている容器と、該容器に付替え可能であり、前記歯科用インスツルメントの種別および前記歯科用インスツルメントにおける注油箇所に応じた複数種類のノズルと、を有し、
複数種類の前記ノズルには、該ノズルの識別情報が予め書き込まれたノズル用無線タグがそれぞれ設けられており、
前記読取書込手段は、前記注油検出手段によって前記歯科用インスツルメントへの注油または注油のための動作が検出されたときに、前記インスツルメント用無線タグとの間、および前記ノズル用無線タグとの間で前記注油情報の通信を行うことを特徴とする請求項１から請求項５のいずれか一項に記載の歯科用注油情報管理装置。
【請求項７】
前記読取書込手段は、互いに分離して複数配置されており、
複数の前記読取書込手段のうちの注油時に前記インスツルメント用無線タグに最も近い読取書込手段が、前記インスツルメント用無線タグとの間で前記注油情報の通信を行うことを特徴とする請求項１から請求項５のいずれか一項に記載の歯科用注油情報管理装置。
【請求項８】
前記注油手段は、油が収容されている容器と、該容器に接続されている複数の噴出口と、複数の前記噴出口にそれぞれ接続されており、前記歯科用インスツルメントの種別および前記歯科用インスツルメントにおける注油箇所に応じた複数種類のノズルと、を有し、
前記注油検出手段は、複数の前記噴出口ごとに複数設けられていることを特徴とする請求項１から請求項５のいずれか一項に記載の歯科用注油情報管理装置。
【請求項９】
前記インスツルメント用無線タグを読み取ることによって注油対象の前記歯科用インスツルメントが先端側と基端側とに２つの注油箇所を有すると判定された場合、前記歯科用インスツルメントへの注油が２度行われたときに、前記読取書込手段は、前記インスツルメント用無線タグに対して、前記歯科用インスツルメントへの注油回数および注油日時の少なくとも一方を含む注油履歴を書き込むことを特徴とする請求項１から請求項５のいずれか一項に記載の歯科用注油情報管理装置。
【請求項１０】
前記注油手段は、先端側と基端側とに２つの注油箇所を有する前記歯科用インスツルメントがセットされた状態で、先端側の前記注油箇所に接続されるノズルと基端側の前記注油箇所に接続されるノズルと、を有し、
前記インスツルメント用無線タグを読み取ることによって注油対象の前記歯科用インスツルメントが先端側と基端側とに２つの注油箇所を有すると判定された場合、前記歯科用インスツルメントの２つの注油箇所への注油が行われたときに、前記読取書込手段は、前記インスツルメント用無線タグに対して、前記歯科用インスツルメントへの注油回数および注油日時の少なくとも一方を含む注油履歴を書き込むことを特徴とする請求項１から請求項５のいずれか一項に記載の歯科用注油情報管理装置。
【発明の詳細な説明】
【技術分野】
【０００１】
本発明は、歯科用インスツルメントへの注油に関する注油情報を管理する歯科用注油情報管理装置に関する。
【背景技術】
【０００２】
歯科治療に用いられる治療器具であるエアタービンハンドピースやマイクロモータハンドピース等の歯科用インスツルメントには、ベアリング等の回転機構が内蔵されている。かかる回転機構の摩耗防止と汚れの付着による不具合を防ぐため、歯科用インスツルメントの基端側のジョイント部には、定期的に注油が行われる。
【０００３】
また、歯科用インスツルメントのうちのエアタービンハンドピースには、歯を削るためのバーを装着するチャック部が先端側に設けられている。かかるチャック部の汚れや摩耗を防止してバーのゆるみや抜けのトラブルを解消するため、エアタービンハンドピースの先端側のチャック部には、定期的に注油が行われる。
【０００４】
歯科用インスツルメントへの注油に関して、特許文献１には、「注油器３２０の近傍には、リーダライタ３２１が設けられ、ハンドピース１１１が備える無線タグＴから、記録されている情報を読み取る。管理手段１８０は、リーダライタ３２１でハンドピース１１１の識別情報を読み取った回数を当該ハンドピース１１１の注油回数としてハンドピース１１１の識別情報毎に管理情報記憶手段１９０に記録する。」と記載されている（段落［００６６］−［００６７］参照）。
【先行技術文献】
【特許文献】
【０００５】
【特許文献１】特開２０１５−１４２６９０号公報
【発明の概要】
【発明が解決しようとする課題】
【０００６】
しかしながら、特許文献１に記載の技術は、実際の注油動作に基づいて注油が行われたことを認識するものではない。すなわち、特許文献１に記載の技術では、ハンドピース（歯科用インスツルメント）を注油器の近傍のリーダライタに近付けることで、歯科用インスツルメントの無線タグから識別情報を読み取ることによって、注油が行われたと認識される。
【０００７】
したがって、実際には注油が行われていなくても歯科用インスツルメントを注油器の近傍に近付けるだけで注油が行われたと誤認識されるおそれがある。また、ユーザは、リーダライタによる無線タグの情報の読取りを実行させるために、例えば注油の前後に歯科用インスツルメントをリーダライタに近付ける動作をわざわざ行う必要がある。このため、歯科用インスツルメントをリーダライタに近付けることを忘れてしまった場合には、注油情報のリードライト漏れが生じる。このように、歯科用インスツルメントへの注油の管理に関してはさらなる改善の余地があった。
【０００８】
本発明は、前記した事情に鑑みてなされたものであり、歯科用インスツルメントへの注油の管理を確実に行うことができる歯科用注油情報管理装置を提供することを課題とする。
【課題を解決するための手段】
【０００９】
前記課題を解決するため、本発明は、歯科用インスツルメントへの注油に関する注油情報を管理する歯科用注油情報管理装置であって、前記歯科用インスツルメントに注油する注油手段に設けられ、前記歯科用インスツルメントへの注油または注油のための動作を検出する注油検出手段と、前記歯科用インスツルメントに設けられ、該歯科用インスツルメントの識別情報が予め書き込まれたインスツルメント用無線タグと、前記注油手段に設けられたアンテナまたはリーダライタである読取書込手段と、前記読取書込手段は、前記注油検出手段によって前記歯科用インスツルメントへの注油または注油のための動作が検出されたときに、前記インスツルメント用無線タグとの間で前記注油情報の通信を行うことを特徴とする。
【００１０】
このような構成では、歯科用インスツルメントへの注油時にのみ、該歯科用インスツルメントに設けられたインスツルメント用無線タグに対して必要な注油情報の読取りおよび／または書込み（以下、「リードライト）ともいう）を行うことができる。したがって、実際には注油が行われていない歯科用インスツルメントのインスツルメント用無線タグに対して誤ってリードライトすることを防止できる。
しかも、注油検出手段によって注油または注油のための動作が検出されることによって自動的に、注油情報のリードライトが行われる。したがって、歯科医院のドクター等のユーザは、読取書込手段によるリードライトを実行させるために、例えば注油の前後に歯科用インスツルメントを読取書込手段に近付ける動作をわざわざ行う必要がなくなる。また、必要な注油情報のリードライト漏れを防止できる。
すなわち、歯科用インスツルメントへの注油の管理を確実に行うことができる歯科用注油情報管理装置を提供できる。
また、アンテナまたはリーダライタである読取書込手段を歯科用ユニット（歯科治療装置）に設置することによって、歯科用インスツルメントの使用前に注油状況を歯科用ユニットの表示装置等で確認することができる。
【００１１】
前記歯科用注油情報管理装置において、前記注油手段は、油が収容されている容器を備えており、前記注油検出手段は、注油を操作する操作部の移動を検出するセンサ、または注油の圧力若しくは流量を検出するセンサであることが好ましい。
【００１２】
このような構成では、従来から歯科用インスツルメントへの注油に使用されているスプレー缶等の容器を利用して、簡易かつコンパクトな構成とすることができる。
【００１３】
前記歯科用注油情報管理装置において、前記注油手段は、複数の前記歯科用インスツルメントに同時に注油する注油装置、または前記歯科用インスツルメントに注油するとともに該歯科用インスツルメントの滅菌を行う注油兼滅菌装置であり、前記注油検出手段は、前記注油手段における前記歯科用インスツルメントへの注油を指示する信号、または前記注油手段からの注油の圧力若しくは流量を検出するセンサであることが好ましい。
【００１４】
このような構成では、歯科用インスツルメントへの注油を、複数個まとめて実行、あるいは他の種類の処理と一緒に実行する場合にも歯科用注油情報管理装置を適用して、インスツルメント１１０への注油の管理を確実に行うことができる。これにより、歯科用インスツルメントに対する注油を含む処理を効率良く行うことができる。
【００１５】
前記歯科用注油情報管理装置において、前記注油情報は、前記歯科用インスツルメントへの注油回数および注油日時の少なくとも一方を含む注油履歴を有することが好ましい。
【００１６】
このような構成では、歯科用インスツルメントの注油履歴を随時把握可能となる。したがって、例えば、個々の歯科用インスツルメントに対するメンテナンスの管理を行うことが可能となる。
【００１７】
前記歯科用注油情報管理装置において、前記読取書込手段は、通信ネットワークに接続されており、該通信ネットワークに接続されている情報処理装置との間で前記注油情報の通信を行うことが好ましい。
【００１８】
このような構成では、通信ネットワーク上の情報処理装置において、歯科用インスツルメントへの注油の状況を把握することができる。また、歯科用インスツルメントへの注油に関する注油情報を情報処理装置に保存することもできる。したがって、歯科用インスツルメントの注油に関して、メンテナンス、故障、アドバイス等に関する種々の情報を情報処理装置から得ることができる。
【００１９】
前記歯科用注油情報管理装置において、前記注油手段は、油が収容されている容器と、該容器に付替え可能であり、前記歯科用インスツルメントの種別および前記歯科用インスツルメントにおける注油箇所に応じた複数種類のノズルと、を有し、前記ノズルには、該ノズルの識別情報が予め書き込まれたノズル用無線タグが設けられており、前記読取書込手段は、前記注油検出手段によって前記歯科用インスツルメントへの注油または注油のための動作が検出されたときに、前記インスツルメント用無線タグとの間、および前記ノズル用無線タグとの間で前記注油情報の通信を行うことが好ましい。
【００２０】
このような構成では、読取書込手段は、注油時にインスツルメント用無線タグおよびノズル用無線タグを同時に読み取る。これにより、どの歯科用インスツルメント（歯科用インスツルメントの識別情報から種別を把握）のどこ（ノズルの識別情報から歯科用インスツルメントにおける注油箇所を把握）に注油が行われたかを把握することができる。そして、読取書込手段は、把握された情報等の注油情報を、インスツルメント用無線タグに書き込むことができる。したがって、歯科用インスツルメントへの注油の管理をより確実に行うことができる。
さらに、注油時に読取書込手段がノズル用無線タグに使用履歴を書き込むことによって、ノズルの消耗等を把握することが可能となる。
【００２１】
前記歯科用注油情報管理装置において、前記読取書込手段は、互いに分離して複数配置されており、複数の前記読取書込手段のうちの注油時に前記インスツルメント用無線タグに最も近い読取書込手段が、前記インスツルメント用無線タグとの間で前記注油情報の通信を行うことが好ましい。
【００２２】
このような構成では、インスツルメント用無線タグと通信するのは、該インスツルメント用無線タグに最も近い読取書込手段となる。ここで、歯科用インスツルメントにおける注油箇所が先端側か基端側かによって、歯科用インスツルメントの設置姿勢が変わり、これに伴いインスツルメント用無線タグの位置が変化する。したがって、注油時に、インスツルメント用無線タグの読取りが行われるとともに、複数の読取書込手段のうちのどれがインスツルメント用無線タグと通信できたかが認識される。これにより、どの歯科用インスツルメントのどこに注油が行われたかを把握することができる。
【００２３】
前記歯科用注油情報管理装置において、前記注油手段は、油が収容されている容器と、該容器に接続されている複数の噴出口と、複数の前記噴出口にそれぞれ接続されており、前記歯科用インスツルメントの種別および前記歯科用インスツルメントにおける注油箇所に応じた複数種類のノズルと、を有し、前記注油検出手段は、複数の前記噴出口ごとに複数設けられていることが好ましい。
【００２４】
このような構成では、注油時に、読取書込手段がインスツルメント用無線タグを読み取るとともに、注油を検出した注油検出手段が設けられている噴出口に接続されているノズルの種類から、歯科用インスツルメントにおける注油箇所が認識される。これにより、どの歯科用インスツルメントのどこに注油が行われたかを把握することができる。
また、ユーザは、注油対象の歯科用インスツルメントの種別が変わるたびにノズルの付替えを行う手間がなくなるため、注油作業の効率が向上する。
【００２５】
前記歯科用注油情報管理装置において、前記インスツルメント用無線タグを読み取ることによって注油対象の前記歯科用インスツルメントが先端側と基端側とに２つの注油箇所を有すると判定された場合、前記歯科用インスツルメントへの注油が２度行われたときに、前記読取書込手段は、前記インスツルメント用無線タグに対して、前記歯科用インスツルメントへの注油回数および注油日時の少なくとも一方を含む注油履歴を書き込むことが好ましい。
【００２６】
このような構成では、注油対象の歯科用インスツルメントが例えばエアタービンハンドピースのように先端側と基端側とに２つの注油箇所を有する場合には、注油が２度行われたときに、１回の注油作業が完了したと判断してインスツルメント用無線タグに注油履歴を書き込むことができる。ここで、例えばエアタービンハンドピースは、基端側のジョイント部と、先端側のチャック部との両方の注油箇所に注油する必要がある。このため、両方の注油箇所への注油後に１回の注油作業が完了したと認識することによって、１つの注油履歴で、両方の注油箇所へ注油していることを確認することができる。このように、簡易な構成によって、例えばエアタービンハンドピースのように先端側と基端側とに２つの注油箇所を有する歯科用インスツルメントへの注油の管理をより確実に行うことができる。
【００２７】
前記歯科用注油情報管理装置において、前記注油手段は、先端側と基端側とに２つの注油箇所を有する前記歯科用インスツルメントがセットされた状態で、先端側の前記注油箇所に接続されるノズルと基端側の前記注油箇所に接続されるノズルと、を有し、前記インスツルメント用無線タグを読み取ることによって注油対象の前記歯科用インスツルメントが先端側と基端側とに２つの注油箇所を有すると判定された場合、前記歯科用インスツルメントの２つの注油箇所への注油が行われたときに、前記読取書込手段は、前記インスツルメント用無線タグに対して、前記歯科用インスツルメントへの注油回数および注油日時の少なくとも一方を含む注油履歴を書き込むことが好ましい。
【００２８】
このような構成では、注油対象の歯科用インスツルメントが例えばエアタービンハンドピースのように先端側と基端側とに２つの注油箇所を有する場合には、１箇所のみの注油が行われることを抑制できる。そして、歯科用インスツルメントの２つの注油箇所の両方への注油が行われたときに、１回の注油作業が完了したと判断してインスツルメント用無線タグに注油履歴を書き込むことができる。したがって、例えばエアタービンハンドピースのように先端側と基端側とに２つの注油箇所を有する歯科用インスツルメントへの注油の管理をより確実に行うことができる。
また、ユーザは、歯科用インスツルメントの２つの注油箇所の両方へ同時に注油を行うことができ、注油作業の効率が向上する。さらに、歯科用インスツルメントを注油手段にセットして注油を行うため、ユーザの作業熟練度に関わらず、均一な注油が可能となる。
【発明の効果】
【００２９】
本発明によれば、歯科用インスツルメントへの注油の管理を確実に行うことができる歯科用注油情報管理装置を提供できる。
【図面の簡単な説明】
【００３０】
【図１】本発明の第１実施形態に係る歯科用注油情報管理装置が適用された歯科診療システムを模式的に示すブロック図である。
【図２】歯科用インスツルメントへの注油時の注油手段を模式的に示す斜視図である。
【図３】（ａ）〜（ｃ）は、注油手段の容器に付替え可能に装着されるノズルを模式的に示す斜視図である。
【図４】歯科用インスツルメントへの注油に関する注油情報を管理する処理の概略の手順を示すフローチャートである。
【図５】本発明の第２実施形態に係る歯科用注油情報管理装置が適用された歯科診療システムを模式的に示すブロック図である。
【図６】注油手段を模式的に示す斜視図である。
【図７】歯科用インスツルメントの基端側のジョイント部への注油時の注油手段を模式的に示す斜視図である。
【図８】歯科用インスツルメントの先端側のチャック部への注油時の注油手段を模式的に示す斜視図である。
【図９】本発明の第３実施形態に係る歯科用注油情報管理装置が適用された歯科診療システムを模式的に示すブロック図である。
【図１０】注油手段を模式的に示す斜視図である。
【図１１】本発明の第４実施形態に係る歯科用注油情報管理装置が適用された歯科診療システムを模式的に示すブロック図である。
【図１２】（ａ）は、歯科用インスツルメントの基端側のジョイント部への注油時の注油手段を模式的に示す斜視図、（ｂ）は、歯科用インスツルメントの先端側のチャック部への注油時の注油手段を模式的に示す斜視図である。
【図１３】本発明の第５実施形態に係る歯科用注油情報管理装置が適用された歯科診療システムを模式的に示すブロック図である。
【図１４】歯科用インスツルメントの基端側のジョイント部および先端側のチャック部への注油時の注油手段を模式的に示す斜視図である。
【図１５】本発明の第６実施形態に係る歯科用注油情報管理装置が適用された注油手段のインスツルメントへの注油時の様子を模式的に示す斜視図である。
【発明を実施するための形態】
【００３１】
本発明の実施形態について、適宜図面を参照しながら詳細に説明する。
なお、各図において、共通する構成要素や同様な構成要素については、同一の符号を付し、それらの重複する説明を適宜省略する。
【００３２】
（第１実施形態）
まず、図１〜図４を参照しながら、本発明の第１実施形態について説明する。
図１は、本発明の第１実施形態に係る歯科用注油情報管理装置５０が適用された歯科診療システム１００を模式的に示すブロック図である。図２は、歯科用インスツルメント（以下、単に「インスツルメント」ともいう）１１０への注油時の注油手段１０を模式的に示す斜視図である。図３（ａ）〜（ｃ）は、注油手段１０の容器１２に付替え可能に装着されるノズル２１〜２３を模式的に示す斜視図である。
【００３３】
図１に示すように、歯科診療システム１００は、歯科医院内の診療室に設置された少なくとも１つの歯科治療装置１０１を備えている。また、歯科診療システム１００は、歯科治療に用いられる治療器具であるインスツルメント１１０に注油する注油手段１０を備えている。注油手段１０は、診療室又は他の部屋に設置されている。
【００３４】
歯科治療装置１０１は、患者に歯科治療を施すための装置であって、ユニット本体、ユニット本体上のテーブル、ユニット本体に設けられたハンガー、患者用椅子等（いずれも図示せず）を主に備えている。歯科治療装置１０１のハンガーは、複数のインスツルメント１１０が保持され得るように構成されている。
【００３５】
インスツルメント１１０として、ここでは、エアタービンハンドピースと、マイクロモータハンドピースとが使用される場合について説明する。エアタービンハンドピースは、注水されながら圧縮空気の力によって切削工具を高速回転させて歯を研削するものである。また、マイクロモータハンドピースは、注水されながら電気モータの力によって切削工具を高速回転させて歯を研削するものである。ただし、エアモータによって駆動されるエアマチックハンドピース等の他の種別のインスツルメントが使用されてもよい。
【００３６】
本実施形態の歯科用注油情報管理装置５０は、インスツルメント１１０への注油に関する注油情報を管理する装置である。ここでは、インスツルメント１１０への注油として、エアタービンハンドピースの先端側におけるバーを装着するチャック部への注油、エアタービンハンドピースの基端側のジョイント部への注油、マイクロモータハンドピースの基端側のジョイント部への注油、の３種類の注油を想定している。
【００３７】
図２に示すように、注油手段１０は、油が収容されている容器１２と、容器１２に装着され容器１２内の油を外に噴射するノズル２０とを有するスプレー缶１１を備えている。また、注油手段１０は、スプレー缶１１が設置されて保持される例えば有底円筒状のホルダ１３を備えている。
【００３８】
ノズル２０は、容器１２の上部に取り付けられる接続キャップ２４と、接続キャップ２４に連設され油を噴射する噴射管２５とを有している。接続キャップ２４の上部には、噴射ボタン２６が設けられており、ユーザが噴射ボタン（操作部）２６を押すことによって容器１２内の油が噴射されるようになっている。
【００３９】
図３に示すように、本実施形態では、前記した注油の種類（インスツルメント１１０の種別およびインスツルメント１１０における注油箇所）に応じた複数種類のノズル２１〜２３が用意されている。具体的には、ノズル２１（図３（ａ）参照）は、エアタービンハンドピースの先端側のチャック部への注油に使用されるものである。ノズル２２（図３（ｂ）参照）は、エアタービンハンドピースの基端側のジョイント部への注油に使用されるものである。ノズル２３（図３（ｃ）参照）は、マイクロモータハンドピースの基端側のジョイント部への注油に使用されるものである。
なお、ノズル２０は、ノズル２１〜２３の総称である。
【００４０】
図１〜図２に示すように、歯科用注油情報管理装置５０は、注油検出手段５１と、インスツルメント用無線タグ５２と、リーダライタ５３と、を備えている。
【００４１】
注油検出手段５１は、歯科用インスツルメントへの注油または注油のための動作を検出するものであり、注油手段１０に設けられている。注油検出手段５１としては、ここでは、スプレー缶１１からの注油を操作する噴射ボタン２６が押された際に、例えば該噴射ボタン２６に連動する部材（図示せず）を介して、該噴射ボタン２６の移動を検出するセンサが使用されている。噴射ボタン２６の移動を検出するセンサとして、例えばマイクロスイッチのほか、光学センサ、赤外線センサ、静電容量型センサ、磁気センサ、反射型センサ、透過型センサ等が利用され得る。ただし、注油検出手段５１は、噴射ボタン２６の移動を検出するセンサに限定されるものではなく、例えばスプレー缶１１からの注油の圧力若しくは流量を検出するセンサであってもよい。
【００４２】
インスツルメント用無線タグ５２は、インスツルメント１１０の例えば基端側の外表面に設けられている。このインスツルメント用無線タグ５２には、少なくともインスツルメント１１０の識別情報が予め書き込まれている。インスツルメント１１０の識別情報には、該インスツルメント１１０の種別（例えばエアタービンハンドピースであることを示す情報）が含まれる。
【００４３】
インスツルメント用無線タグ５２は、無線通信を利用した非接触型の電子タグであり、記憶部を有するＩＣチップとコイルからなるアンテナとを有している（いずれも図示せず）。インスツルメント用無線タグ５２としては、例えばＲＦＩＤタグが使用され得る。
【００４４】
リーダライタ５３は、制御部（図示せず）を有するリーダライタ本体５４と、リーダライタ本体５４に接続されたアンテナ５５とを備えている。図２の例では、リーダライタ本体５４は、ホルダ１３内の底部に設置されており、アンテナ５５は、ホルダ１３の開口端縁部上に設置されている。
【００４５】
なお、リーダライタ本体５４およびアンテナ５５の設置位置は、前記した位置に限定されるものではない（後記する他の実施形態でも同様）。例えば、リーダライタ本体５４は、注油手段１０から離れた外部に設けられていてもよい。あるいは、リーダライタ本体５４とアンテナ５５とを一体に構成したリーダライタが、例えばホルダ１３の開口端縁部上などの無線タグと通信可能な位置に設置されていてもよい。
【００４６】
リーダライタ５３には注油検出手段５１が接続されている。注油検出手段５１によって歯科用インスツルメントへの注油または注油のための動作が検出された場合、その検出信号がリーダライタ５３に入力されるように構成されている。
【００４７】
インスツルメント用無線タグ５２がリーダライタ５３から出る電磁波を受信すると、電磁誘導の作用によってインスツルメント用無線タグ５２に電流が流れる。これにより、インスツルメント用無線タグ５２は、リーダライタ５３と無線通信を行い、インスツルメント１１０への注油に関する注油情報等の各種情報のリードライトを行うことが可能となっている。ここで、注油情報は、インスツルメント１１０への注油回数および注油日時の少なくとも一方を含む注油履歴を有するものである。
【００４８】
図１〜図３に示すように、本実施形態では、歯科用注油情報管理装置５０は、さらにノズル用無線タグ５６を備えている。ノズル用無線タグ５６は、複数種類のノズル２０（２１〜２３）にそれぞれ設けられている。このノズル用無線タグ５６には、少なくともノズル２０の識別情報が予め書き込まれている。ノズル２０の識別情報には、該ノズル２０の種類（ノズル２１〜２３のいずれであるかを示す情報）が含まれる。
なお、ノズル用無線タグ５６としては、例えばインスツルメント用無線タグ５２と同様の構成の無線タグが使用されている。
【００４９】
図１に示すように、リーダライタ５３は、通信ネットワークＮＷに接続されている。通信ネットワークＮＷは、有線ＬＡＮ等の有線通信ネットワーク、無線ＬＡＮやBluetooth（登録商標）等の無線通信ネットワーク、インターネットなどである。
【００５０】
通信ネットワークＮＷには、前記した歯科治療装置１０１と、歯科医院内の診療室に設置された情報処理装置１０２とが接続されている。また、通信ネットワークＮＷには、インスツルメント１１０の修理やメンテナンスを受け付けるコールセンターに設置された情報処理装置１０３と、インスツルメント１１０を製造したメーカーに設置された情報処理装置１０４とが接続されている。これらの情報処理装置１０２〜１０４は、例えば一般的なパーソナルコンピュータ（ＰＣ）のほか、タブレット型ＰＣ等の携帯型の端末機器等であってもよい。さらに、通信ネットワークＮＷには、クラウドサーバ１０５が接続されている。
【００５１】
リーダライタ５３は、通信ネットワークＮＷに接続されている歯科治療装置１０１、情報処理装置１０２〜１０４、およびクラウドサーバ１０５との間で、注油情報等の各種情報の通信を行うことが可能となっている。
【００５２】
以上のように構成された歯科診療システム１００における歯科用注油情報管理装置５０の動作について、図４を参照しながら説明する。
図４は、インスツルメント１１０への注油に関する注油情報を管理する処理の概略の手順を示すフローチャートである。
【００５３】
図４に示すように、ステップＳ１では、インスツルメント１１０への注油または注油のための動作が検出されたか否かが判断される。すなわち、リーダライタ５３は、注油検出手段５１からの注油または注油のための動作が行われたことを示す検出信号を受信したか否かを判断する。
【００５４】
ステップＳ１においてインスツルメント１１０への注油または注油のための動作が検出されていないと判断された場合（ステップＳ１でＮｏ）、リーダライタ５３は、そのまま待機する。一方、ステップＳ１においてインスツルメント１１０への注油または注油のための動作が検出されたと判断された場合（ステップＳ１でＹｅｓ）、処理がステップＳ２に進む。
【００５５】
ステップＳ２では、リーダライタ５３は、無線タグとの注油情報の通信を行う。すなわち、リーダライタ５３は、インスツルメント用無線タグ５２との間、およびノズル用無線タグ５６との間で注油情報の通信を行う。
【００５６】
ここで、リーダライタ５３は、注油時にインスツルメント用無線タグ５２およびノズル用無線タグ５６を同時に読み取る。これにより、どのインスツルメント１１０（インスツルメント１１０の識別情報から種別を把握）のどこ（ノズル２０の識別情報からインスツルメント１１０における注油箇所を把握）に注油が行われたかを把握することができる。そして、リーダライタ５３は、把握された情報等の注油情報を、インスツルメント用無線タグ５２に書き込む。
【００５７】
リーダライタ５３がリードライトした情報は、通信ネットワークＮＷを介して、歯科治療装置１０１、情報処理装置１０２〜１０４、およびクラウドサーバ１０５に伝送され、各装置の表示部に表示されたり、各装置の記憶部に保存されたりする。
【００５８】
したがって、歯科医院のドクター等のユーザは、インスツルメント１１０への注油の状況を、歯科治療装置１０１や情報処理装置１０２の表示部に表示させて、確認することができる。また、インスツルメント１１０への注油の状況は、コールセンターに設置された情報処理装置１０３や、メーカーに設置された情報処理装置１０４にも表示されて、確認され得る。
【００５９】
例えば、メーカーサイドは、歯科医院におけるインスツルメント１１０への注油に関して、情報処理装置１０４において状況を確認したり、情報処理装置１０４から歯科医院に設置された情報処理装置１０２にアナウンスを表示させたりすることができる。ここで、アナウンスとは、例えばメンテナンスや修理に関する情報や、適切な注油の仕方、部品交換に関する情報といったお知らせや、「営業マンに連絡してください。」といった告知が挙げられる。さらに、歯科医院でのインスツルメント１１０への注油の状況を事前に把握し、故障する前に、メーカー等のサービスマンが歯科医院を訪問し、部品の調整や交換を行うことができる。その際に、事前に取得した情報によって、訪問前にサービスマンが必要な交換機材等を用意することができる。
【００６０】
コールセンターは、インスツルメント１１０に不具合が生じたときに、歯科医院のドクター等のユーザからの電話を受け付けることができる。また、歯科医院のドクター等のユーザは、診療室に設置された情報処理装置１０２から、通信ネットワークＮＷ上に設けられたコールセンターの情報処理装置１０３にクレーム等の情報を送ることができる。そして、コールセンターの情報処理装置１０３が、歯科医院の歯科治療装置１０１や情報処理装置１０２から、通信ネットワークＮＷを介して情報を得ることによって、コールセンターは、不具合に対して適切な対応を取ることができる。
【００６１】
また、インスツルメント１１０への注油の状況を通信ネットワークＮＷ上にあるクラウドサーバ１０５に記憶して管理してもよい。このようにして、インスツルメント１１０への注油の状況を各所において常に管理することが可能となる。
【００６２】
また、インスツルメント１１０への注油の状況を把握することによって、注油が所定どおり行われている場合と行われていない場合とで、インスツルメント１１０の修理料金を変えたり、補償期間を変えたりすることが可能となる。また、インスツルメント１１０に注油する頻度をカウントし、これに基づいてインスツルメント１１０のレンタル料金を決めることも可能となる。
【００６３】
前記したように、本実施形態の歯科用注油情報管理装置５０は、注油手段１０に設けられた注油検出手段５１と、インスツルメント１１０に設けられたインスツルメント用無線タグ５２と、注油手段１０に設けられたアンテナ５５またはリーダライタ５３である読取書込手段と、を備える。そして、読取書込手段は、注油検出手段５１によってインスツルメント１１０への注油または注油のための動作が検出されたときに、インスツルメント用無線タグ５２との間で注油情報の通信を行う。
【００６４】
このような本実施形態では、インスツルメント１１０への注油時にのみ、該インスツルメント１１０に設けられたインスツルメント用無線タグ５２に対して必要な注油情報のリードライトを行うことができる。したがって、実際には注油が行われていないインスツルメント１１０のインスツルメント用無線タグ５２に対して誤ってリードライトすることを防止できる。
しかも、注油検出手段５１によって注油または注油のための動作が検出されることによって自動的に、注油情報のリードライトが行われる。したがって、歯科医院のドクター等のユーザは、リーダライタ５３によるリードライトを実行させるために、例えば注油の前後にインスツルメント１１０をリーダライタ５３のアンテナ５５に近付ける動作をわざわざ行う必要がなくなる。また、必要な注油情報のリードライト漏れを防止できる。
すなわち、インスツルメント１１０への注油の管理を確実に行うことができる歯科用注油情報管理装置５０を提供できる。
また、アンテナ５５またはリーダライタ５３である読取書込み手段を歯科用ユニット（歯科治療装置１０１）に設けられたハンガーに設置するように構成してもよい。このようにすれば、注油情報が書き込まれたインスツルメント１１０がハンガーに保持されると、ハンガーに設けられた読取書込手段からインスツルメント１１０の注油情報を確認し、歯科用ユニットに装備された液晶等の表示装置に注油情報を表示することで、歯科医師は注油日時や注油回数を、治療前に確認することができる。
【００６５】
また、本実施形態によれば、読取書込手段は、注油時にインスツルメント用無線タグ５２およびノズル用無線タグ５６を同時に読み取る。これにより、どのインスツルメント１１０のどこに注油が行われたかを把握することができる。そして、読取書込手段は、把握された情報等の注油情報を、インスツルメント用無線タグ５２に書き込むことができる。したがって、インスツルメント１１０への注油の管理をより確実に行うことができる。
さらに、注油時にリーダライタ５３がノズル用無線タグ５６に使用履歴を書き込むことによって、ノズル２０の消耗等を把握することが可能となる。
【００６６】
また、本実施形態によれば、従来からインスツルメント１１０への注油に使用されているスプレー缶１１等の容器を利用して、簡易かつコンパクトな構成とすることができる。
【００６７】
また、本実施形態によれば、リードライトされる注油情報がインスツルメント１１０への注油回数および注油日時の少なくとも一方を含む注油履歴を有するので、インスツルメント１１０の注油履歴を随時把握可能となる。したがって、例えば、個々のインスツルメント１１０に対するメンテナンスの管理を行うことが可能となる。
【００６８】
また、本実施形態によれば、通信ネットワークＮＷ上の情報処理装置１０３，１０４、クラウドサーバ１０５において、インスツルメント１１０への注油の状況を把握することができる。さらに、インスツルメント１１０への注油に関する注油情報を情報処理装置１０３，１０４、クラウドサーバ１０５に保存することもできる。したがって、インスツルメント１１０の注油に関して、メンテナンス、故障、アドバイス等に関する種々の情報を情報処理装置１０３，１０４、クラウドサーバ１０５から得ることができる。
【００６９】
（第２実施形態）
次に、図５〜図８を参照しながら、本発明の第２実施形態について、前記した第１実施形態と相違する点を中心に説明し、共通する点の説明を省略する。
【００７０】
図５は、本発明の第２実施形態に係る歯科用注油情報管理装置５０ａが適用された歯科診療システム１００を模式的に示すブロック図である。図６は、注油手段１０ａを模式的に示す斜視図である。図７は、インスツルメント１１０の基端側のジョイント部への注油時の注油手段１０ａを模式的に示す斜視図である。図８は、インスツルメント１１０の先端側のチャック部への注油時の注油手段１０ａを模式的に示す斜視図である。
【００７１】
図５〜図６に示すように、第２実施形態では、リーダライタ５３ａは、注油手段１０ａに互いに分離して配置されている複数（ここでは２つ）のアンテナ５５ａ，５５ｂを備えている。そして、２つのアンテナ５５ａ，５５ｂのうちの注油時にインスツルメント用無線タグ５２に最も近いアンテナがインスツルメント用無線タグ５２との間で注油情報の通信を行うように構成されている。この場合、アンテナ５５ａ，５５ｂとインスツルメント用無線タグ５２との通信距離は、一方のアンテナのみが通信可能とするために、比較的短い適切な距離とされることが望ましい。
【００７２】
このような構成では、インスツルメント用無線タグ５２と通信するのは、該インスツルメント用無線タグ５２に最も近いアンテナとなる。ここで、インスツルメント１１０における注油箇所が先端側のチャック部か基端側のジョイント部かによって、インスツルメント１１０の設置姿勢が変わり、これに伴いインスツルメント用無線タグ５２の位置が変化する。
【００７３】
具体的には、図７に示すように、インスツルメント１１０の基端側のジョイント部への注油時には、２つのアンテナ５５ａ，５５ｂのうちのインスツルメント用無線タグ５２に近い上方のアンテナ５５ａが、インスツルメント用無線タグ５２との間で注油情報の通信を行う。一方、図８に示すように、インスツルメント１１０の先端側のチャック部への注油時には、２つのアンテナ５５ａ，５５ｂのうちのインスツルメント用無線タグ５２に近い下方のアンテナ５５ｂが、インスツルメント用無線タグ５２との間で注油情報の通信を行う。
【００７４】
したがって、第２実施形態によれば、注油時に、インスツルメント用無線タグ５２の読取りが行われるとともに、複数（ここでは２つ）のアンテナ５５ａ，５５ｂのうちのどれがインスツルメント用無線タグ５２と通信できたかが認識される。これにより、どのインスツルメント１１０のどこに注油が行われたかを把握することができる。
【００７５】
なお、リーダライタ本体とアンテナとを一体に構成したリーダライタが互いに分離して複数配置されていてもよい。この場合、複数のリーダライタのうちの注油時にインスツルメント用無線タグ５２に最も近いリーダライタが、インスツルメント用無線タグ５２との間で注油情報の通信を行うように構成される。
【００７６】
（第３実施形態）
次に、図９〜図１０を参照しながら、本発明の第３実施形態について、前記した第１実施形態と相違する点を中心に説明し、共通する点の説明を省略する。
【００７７】
図９は、本発明の第３実施形態に係る歯科用注油情報管理装置５０ｂが適用された歯科診療システム１００を模式的に示すブロック図である。図１０は、注油手段１０ｂを模式的に示す斜視図である。
【００７８】
図９〜図１０に示すように、第３実施形態では、注油手段１０ｂは、油が収容されている容器１２と、該容器１２に供給管１５を介して接続されている複数の噴出口１４ａ，１４ｂ，１４ｃと、複数の噴出口１４ａ，１４ｂ，１４ｃにそれぞれ接続された複数種類のノズル２１〜２３と、を有している。
【００７９】
また、注油手段１０ｂは、容器１２が設置されて保持される例えば有底三角筒状のホルダ１３ａと、ホルダ１３ａの上方開口部を覆う天板１３ｂと、を備えている。ノズル２１〜２３は、天板１３ｂ上のほぼ均等な位置に固定して設置されている。略三角形状の天板１３ｂの一辺に相当する縁部の上には、アンテナ５５ｃが設置されている。この場合、アンテナ５５ｃとインスツルメント用無線タグ５２との通信距離は、インスツルメント１１０をどのノズル２１〜２３に取り付けても通信可能とするために、比較的長い適切な距離とされることが望ましい。
【００８０】
複数種類のノズル２１〜２３は、前記した注油の種類（インスツルメント１１０の種別およびインスツルメント１１０における注油箇所）に応じて構成されている。具体的には、ノズル２１は、エアタービンハンドピースの先端側のチャック部への注油に使用されるものである。ノズル２２は、エアタービンハンドピースの基端側のジョイント部への注油に使用されるものである。ノズル２３は、マイクロモータハンドピースの基端側のジョイント部への注油に使用されるものである。
【００８１】
そして、複数の注油検出手段５１が、複数の噴出口１４ａ，１４ｂ，１４ｃごとに、それぞれ設けられている。
【００８２】
このような第３実施形態によれば、注油時に、インスツルメント用無線タグ５２の読取りが行われるとともに、注油を検出した注油検出手段５１が設けられている噴出口１４ａ，１４ｂ，１４ｃに接続されているノズル２１〜２３の種類から、インスツルメント１１０における注油箇所が認識される。これにより、どのインスツルメント１１０のどこに注油が行われたかを把握することができる。
また、歯科医院のドクター等のユーザは、注油対象のインスツルメント１１０の種別が変わるたびに前記実施形態１のようなノズル２１〜２３の付替えを行う手間がなくなるため、注油作業の効率が向上する。
【００８３】
（第４実施形態）
次に、図１１〜図１２を参照しながら、本発明の第４実施形態について、前記した第１実施形態と相違する点を中心に説明し、共通する点の説明を省略する。
【００８４】
図１１は、本発明の第４実施形態に係る歯科用注油情報管理装置５０ｃが適用された歯科診療システム１００を模式的に示すブロック図である。図１２（ａ）は、インスツルメント１１０の基端側のジョイント部への注油時の注油手段１０ｃを模式的に示す斜視図である。図１２（ｂ）は、インスツルメント１１０の先端側のチャック部への注油時の注油手段１０ｃを模式的に示す斜視図である。
【００８５】
図１１〜図１２に示すように、第４実施形態では、第１実施形態と同様に、前記した注油の種類（インスツルメント１１０の種別およびインスツルメント１１０における注油箇所）に応じた複数種類のノズル２０が用意されている。具体的には、図３に示すように、ノズル２０には、ノズル２１（図３（ａ）参照）、ノズル２２（図３（ｂ）参照）、ノズル２３（図３（ｃ）参照）の３種類がある。
【００８６】
そして、複数種類の注油検出手段５１ａ，５１ｂ，５１ｃが、複数種類のノズル２０（２１〜２３）ごとに、それぞれ設けられている。注油検出手段５１ａ，５１ｂ，５１ｃとしては、ここでは、スプレー缶１１からの注油の圧力若しくは流量を検出するセンサが使用されている。ただし、複数種類のノズル２０（２１〜２３）には、第１実施形態のようなノズル用無線タグ５６は設けられていない。
【００８７】
第４実施形態では、インスツルメント用無線タグ５２を読み取ることによって注油対象のインスツルメント１１０が例えばエアタービンハンドピースのように先端側と基端側とに２つの注油箇所を有すると判定された場合、インスツルメント１１０への注油が２度行われたときに、アンテナ５５またはリーダライタ５３である読取書込手段が、インスツルメント用無線タグ５２に対して、インスツルメント１１０への注油回数および注油日時の少なくとも一方を含む注油履歴を書き込むように構成されている。
【００８８】
このような第４実施形態によれば、注油対象のインスツルメント１１０が例えばエアタービンハンドピースのように先端側と基端側とに２つの注油箇所を有する場合には、注油が２度行われたときに、１回の注油作業が完了したと判断してインスツルメント用無線タグ５２に注油履歴を書き込むことができる。ここで、例えばエアタービンハンドピースは、基端側のジョイント部と、先端側のチャック部との両方の注油箇所に注油する必要がある。このため、両方の注油箇所への注油後に１回の注油作業が完了したと認識することによって、１つの注油履歴で、両方の注油箇所へ注油していることを確認することができる。このように、簡易な構成によって、例えばエアタービンハンドピースのように先端側と基端側とに２つの注油箇所を有するインスツルメント１１０への注油の管理をより確実に行うことができる。
【００８９】
また、注油時に、インスツルメント用無線タグ５２の読取りが行われるとともに、注油を検出した注油検出手段５１ａ，５１ｂ，５１ｃの種類から、ノズル２１〜２３の種類が分かる。したがって、ノズル２０に第１実施形態のようなノズル用無線タグ５６を設けることなく、インスツルメント１１０における注油箇所が認識される。これにより、どのインスツルメント１１０のどこに注油が行われたかを把握することができる。
【００９０】
（第５実施形態）
次に、図１３〜図１４を参照しながら、本発明の第５実施形態について、前記した第１実施形態と相違する点を中心に説明し、共通する点の説明を省略する。
【００９１】
図１３は、本発明の第５実施形態に係る歯科用注油情報管理装置５０ｄが適用された歯科診療システム１００を模式的に示すブロック図である。図１４は、インスツルメント１１０の基端側のジョイント部および先端側のチャック部への注油時の注油手段１０ｄを模式的に示す斜視図である。
【００９２】
図１４に示すように、第５実施形態では、注油手段１０ｄは、例えばエアタービンハンドピースのように先端側と基端側とに２つの注油箇所を有するインスツルメント１１０がセットされた状態で、先端側の注油箇所に接続されるノズル２１と基端側の注油箇所に接続されるノズル２２と、を有している。アンテナ５５は、ノズル２１とノズル２２との間において、注油手段１０ｂにセットされた状態にあるインスツルメント１１０の下方に設置されている。
【００９３】
注油手段１０ｂは、油が収容されている容器１２を有している。該容器１２には、供給管１５が接続されている。容器１２から延びる供給管１５は、２つに分岐して、それぞれノズル２１，２２に接続されている。注油検出手段５１が、例えば容器１２の出口の直下流側に設けられている。注油検出手段５１としては、ここでは、容器１２からの注油の圧力若しくは流量を検出するセンサが使用されている。そして、インスツルメント１１０を注油手段１０ｄにセット後、開始スイッチ（図示せず）を操作することによって、注油が行われるように構成されている。
【００９４】
供給管１５における分岐点とノズル２１との間には、電磁弁１６が設けられている。電磁弁１６は、例えば常時閉状態とされる。そして、インスツルメント１１０が例えばエアタービンハンドピースのように先端側と基端側とに２つの注油箇所を有すると判定された場合には、電磁弁１６が開状態とされる。かかる判定は、インスツルメント１１０の注油手段１０ｄへのセット時にインスツルメント用無線タグ５２を読み取ることによって行われる。これにより、先端側のチャック部への注油を、基端側のジョイント部への注油と同時に実施することができる。一方、インスツルメント１１０が例えばマイクロモータハンドピースのように基端側に１つの注油箇所のみを有すると判定された場合には、電磁弁１６は閉状態のまま維持される。これにより、基端側のジョイント部への注油のみを実施することができる。
【００９５】
注油検出手段５１として流量計を使用しインスツルメント１１０への注油量を検出することによって、注油が十分に行われているか否かを確認できる。例えばエアタービンハンドピースへの注油の場合、１箇所の注油箇所への通常の注油量の約２倍の注油量が検出された場合に、２箇所の注油箇所への注油が十分に行われていることを確認できる。
【００９６】
図１３〜図１４に示すように、第５実施形態では、インスツルメント用無線タグ５２を読み取ることによって注油対象のインスツルメント１１０が例えばエアタービンハンドピースのように先端側と基端側とに２つの注油箇所を有すると判定された場合、インスツルメント１１０の２つの注油箇所への注油が行われたときに、アンテナ５５またはリーダライタ５３である読取書込手段が、インスツルメント用無線タグ５２に対して、インスツルメント１１０への注油回数および注油日時の少なくとも一方を含む注油履歴を書き込むように構成されている。
【００９７】
このような第５実施形態によれば、注油対象のインスツルメント１１０が例えばエアタービンハンドピースのように先端側と基端側とに２つの注油箇所を有する場合には、１箇所のみの注油が行われる事態の発生を抑制できる。そして、インスツルメント１１０の２つの注油箇所の両方への注油が行われたときに、１回の注油作業が完了したと判断してインスツルメント用無線タグ５２に注油履歴を書き込むことができる。したがって、例えばエアタービンハンドピースのように先端側と基端側とに２つの注油箇所を有するインスツルメント１１０への注油の管理をより確実に行うことができる。
【００９８】
また、ユーザは、ワンアクションにてインスツルメント１１０の２つの注油箇所の両方へ同時に注油を行うことができ、注油作業の効率が向上する。さらに、インスツルメント１１０を注油手段１０ｄにセットして注油を行うため、ユーザの作業熟練度に関わらず、均一な注油が可能となる。
【００９９】
（第６実施形態）
次に、図１５を参照しながら、本発明の第６実施形態について、前記した第１実施形態と相違する点を中心に説明し、共通する点の説明を省略する。
【０１００】
図１５は、本発明の第６実施形態に係る歯科用注油情報管理装置５０ｅが適用された注油手段１０ｅのインスツルメント１１０への注油時の様子を模式的に示す斜視図である。
前記した実施形態では、注油手段１０，１０ａ〜１０ｄは、インスツルメント１１０に対して一つずつ注油を行うものであるのに対して、第６実施形態では、注油手段１０ｅは、複数のインスツルメント１１０に同時に注油するものである。
【０１０１】
図１５に示すように、注油手段１０ｅの内部には油が収容されている容器１２が着脱可能に装着されている。また、容器１２から電磁弁（図示せず）を経由して複数のインスツルメント１１０側に分岐する管路（図示せず）が備えられている。この管路の分岐した複数の端部に、注油検出手段５１を介してインスツルメント装着部１７がそれぞれ設けられている。インスツルメント１１０に設けられた無線タグ５２は、注油手段１０ｅにおけるインスツルメント１１０の設置空間の背面に設けられたアンテナ５５を介してリードライト可能となっている。
【０１０２】
歯科医院のドクター等のユーザが、複数のインスツルメント１１０を注油手段１０ｅの各インスツルメント装着部１７にそれぞれ装着し、蓋１８を閉じて操作パネル１９上の開始スイッチ１９ａを押すと、複数のインスツルメント１１０に同時に注油が行われる。具体的には、開始スイッチ１９ａが押されると電磁弁が開いて、洗浄剤を含む油が各インスツルメント１１０との接続部に設けられた注油検出手段５１を経てインスツルメント１１０に流入しヘッド部１１０ａから排出される。そして、一定時間注油が行われた後、自動的に注油が停止する。この場合、注油検出手段５１は、注油の圧力若しくは流量を検出するセンサであってもよいし、注油手段１０ｅにおけるインスツルメント１１０への注油を指示する信号であってもよい。ここで、注油を指示する信号には、注油の開始スイッチ１９ａのオン信号や、一連のシーケンス動作における注油開始の信号が含まれる。
このような第６実施形態によれば、インスツルメント１１０への注油を複数個まとめて実行する場合にも歯科用注油情報管理装置５０ｅを適用して、インスツルメント１１０への注油の管理を確実に行うことができる。これにより、インスツルメント１１０に対する注油を効率良く行うことができる。
【０１０３】
以上、本発明について、実施形態に基づいて説明したが、本発明は、前記実施形態に記載した構成に限定されるものではなく、前記実施形態に記載した構成を適宜組み合わせ乃至選択することを含め、その趣旨を逸脱しない範囲において適宜その構成を変更することができるものである。また、前記実施形態の構成の一部について、追加、削除、置換をすることができる。
【０１０４】
例えば、前記実施形態では、注油手段１０，１０ａ〜１０ｄは、インスツルメント１１０に対して注油のみを行うものである。ただし、注油手段は、インスツルメント１１０に注油するとともに該インスツルメント１１０の滅菌を行う注油兼滅菌装置であってもよい。この場合、注油検出手段は、注油手段におけるインスツルメント１１０への注油を指示する信号、または注油手段からの注油の圧力若しくは流量を検出するセンサであることが好ましい。
このような構成では、インスツルメント１１０への注油を、他の種類の処理と一緒に実行する場合にも歯科用注油情報管理装置を適用して、インスツルメント１１０への注油の管理を確実に行うことができる。これにより、インスツルメント１１０に対する注油を含む処理を効率良く行うことができる。
【０１０５】
また、前記実施形態において、スプレー缶１１を使用する例が記載されているが、スプレー缶１１を使用する代わりに、ボトル等の容器に油を入れエア圧を使うように構成されてもよい。
【符号の説明】
【０１０６】
１０，１０ａ〜１０ｅ  注油手段
１１    スプレー缶
１２    容器
１３，１３ａ  ホルダ
１３ｂ  天板
１４ａ，１４ｂ，１４ｃ  噴出口
１５    供給管
１６    電磁弁
２０    ノズル
２１〜２３  ノズル
２４    接続キャップ
２５    噴射管
２６    噴射ボタン
５０，５０ａ〜５０ｅ  歯科用注油情報管理装置
５１，５１ａ〜５１ｃ  注油検出手段
５２    インスツルメント用無線タグ
５３，５３ａ  リーダライタ（読取書込手段）
５４    リーダライタ本体
５５，５５ａ，５５ｂ，５５ｃ  アンテナ（読取書込手段）
５６    ノズル用無線タグ
１００  歯科診療システム
１０１  歯科治療装置
１０２〜１０４  情報処理装置
１０５  クラウドサーバ
１１０  歯科用インスツルメント
ＮＷ    通信ネットワーク
【図１】
0006360518.tif 000002
【図２】
0006360518.tif 000003
【図３】
0006360518.tif 000004
【図４】
0006360518.tif 000005
【図５】
0006360518.tif 000006
【図６】
0006360518.tif 000007
【図７】
0006360518.tif 000008
【図８】
0006360518.tif 000009
【図９】
0006360518.tif 000010
【図１０】
0006360518.tif 000011
【図１１】
0006360518.tif 000012
【図１２】
0006360518.tif 000013
【図１３】
0006360518.tif 000014
【図１４】
0006360518.tif 000015
【図１５】
0006360518.tif 000016